(57)【要約】      （修正有）【課題】爪の表面の汚れ等を簡便に除去するネイルブラシを提供する。【解決手段】ネイルブラシ１は、柔軟性、弾力性を有する合成樹脂やゴム体から成る３個の細幅の矩形板形状のブラシボディ２〜４がその長辺間を可撓性を有する薄肉の２つのヒンジ部５、６により連結され、ブラシボディ２〜４の表面には多数のブラシ束９から成るブラシが植毛されている。ブラシボディ２、４に設けた把持部７、８を手で把んでブラシボディ２〜４により爪Ｎを囲むことにより、爪Ｎの表面に沿ってブラシを均等に当接し、ネイルブラシ１を爪Ｎの表面を長手方向に沿って前後に摺動することで、表面に塗布したマニュキュア、表面の汚れや爪Ｎの生え際の凹部の汚れ等を除去できる。【選択図】図３
0003200101.tif 000002
【実用新案登録請求の範囲】
【請求項１】
柔軟性、弾力性を有する素材から成る少なくとも３個の細幅の矩形板形状のブラシボディの表面に、剛性、耐久性を有する多数本のブラシ繊維を植毛したネイルブラシであって、前記ブラシボディの長辺同士を可撓性を有するヒンジ部により連結したことを特徴とするネイルブラシ。
【請求項２】
前記ブラシボディの表面には、多数本の前記ブラシ繊維を束ねた多数のブラシ束が、互いに等間隔で規則的に全面に渡って植毛されていることを特徴とする請求項１に記載のネイルブラシ。
【請求項３】
両側の前記ブラシボディの裏面端部には、両側の前記ブラシボディの裏面に対して直角方向に把持部を延在したことを特徴とする請求項１又は２に記載のネイルブラシ。
【請求項４】
両側の前記ブラシボディの前記多数本の前記ブラシ繊維から成るブラシ面を、中央の前記ブラシボディに向けて傾斜する傾斜面状に切り揃えたことを特徴とする請求項１〜３の何れか１項記載のネイルブラシ。
【考案の詳細な説明】
【技術分野】
【０００１】
本考案は、爪や爪の生え際などに付着した汚れ等を落とすためのネイルブラシに関するものである。
【背景技術】
【０００２】
特許文献１には、ブラシ面が平面状の爪ブラシが開示されている。使用者は爪の曲面に合わせて爪ブラシの角度を調整しながら摺動し、爪の表面や爪の生え際に付着した汚れを落とすことになる。
【先行技術文献】
【特許文献】
【０００３】
【特許文献１】特開平１１−９３３４号公報
【考案の概要】
【考案が解決しようとする課題】
【０００４】
しかし、従来の爪ブラシは上述のようにブラシ面が平面状であることから、指先の爪の裏側や生え際などの凹部の汚れを落とすためには、爪ブラシを様々な角度で押し当てながら摺動する必要がある。
【０００５】
そして、ブラシ面が平面状の爪ブラシを使用して、爪の表面、爪の先端又は爪と指先の間を掃除する際に爪の生え際等の凹部などの細かい個所の汚れを十分に落とすためには、爪の曲面や爪先の円弧に沿って平面状のブラシ面の角度を細かく調節する必要があり、手間を要するという問題がある。
【０００６】
更に、利き手の爪の汚れ等を落とす際には、利き手でない手で爪ブラシを把持し、爪先の湾曲に沿ってブラシ面を適確に摺動する必要があり、利き手でない手で、思い通りにブラシ面の角度を調節して、爪ブラシを摺動することは困難である。
【０００７】
本考案の目的は、上述の課題を解消し、爪の裏側や生え際などの凹部に対し簡便にブラシ面を当接することができるネイルブラシを提供することにある。
【課題を解決するための手段】
【０００８】
上記目的を達成するための本考案に係るネイルブラシは、柔軟性、弾力性を有する素材から成る少なくとも３個の細幅の矩形板形状のブラシボディの表面に、剛性、耐久性を有する多数本のブラシ繊維を植毛したネイルブラシであって、前記ブラシボディの長辺同士を可撓性を有するヒンジ部により連結したことを特徴とする。
【考案の効果】
【０００９】
本考案に係るネイルブラシによれば、片手で両側のブラシボディ同士を把持して内側に屈曲することで、複数のブラシ面のブラシ束を異なる向きとし、これらのブラシを爪に対し摺動することで、爪を効率良く清掃したり磨くことが可能である。また、ブラシボディの横幅が狭いため、爪の裏側や生え際などの凹部にブラシが到達し易く、隅々まで十分に対応することができる。
【図面の簡単な説明】
【００１０】
【図１】ネイルブラシの斜視図である。
【図２】正面図である。
【図３】爪の表面に対して使用する場合の説明図である。
【図４】爪の先端に対して使用する場合の説明図である。
【考案を実施するための形態】
【００１１】
本考案を図示の実施例に基づいて詳細に説明する。
図１は本実施例におけるネイルブラシの斜視図であり、図２は正面図である。ネイルブラシ１の大きさは、例えば全体の幅は５ｃｍ、長さは７ｃｍ、高さは１．５ｃｍ程度である。手の指の爪用、足の指の爪用、大人用、子供用等の適宜のサイズのものを用意するようにしてもよい。
【００１２】
ネイルブラシ１は、柔軟性、弾力性を有する合成樹脂やゴム体素材から成る３個の細幅で矩形板形状のブラシボディ２〜４の長辺同士が可撓性を有する薄肉の２つのヒンジ部５、６により連結されている。そして、両側のブラシボディ２、４の裏面の側端には、これらの裏面に対して直角方向に延在する把持部７、８が形成されている。そして、これらのブラシボディ２〜４、ヒンジ部５、６、把持部７、８は同一材料により一体成型されている。
【００１３】
２つのヒンジ部５、６により、連結された３個のブラシボディ２〜４の表面である上面には、多数本のブラシ繊維を束ねた多数のブラシ束９が、互いに等間隔で規則的に全面に渡って植毛されている。ブラシ繊維としては、例えば歯ブラシで使用されているような剛性を有し、耐久性及び使用感触の観点から、合成樹脂毛の他に、動物性、植物性の天然毛を用いることができる。
【００１４】
また実施例では、ブラシボディ２〜４の多数本の前記ブラシ繊維から成るブラシ面は切り揃えて平面状としているが、両側のブラシボディ２、４のブラシ面を、中央のブラシボディ３に向けて傾斜する傾斜面状に切り揃えてもよい。このように左右のブラシボディ２、４のブラシは平坦ではなく、一方向側に傾斜させると使用に際して便利である。
【００１５】
図３はブラシボディ２、４をヒンジ部５、６により屈曲させ、爪Ｎの表面に沿ってブラシボディ２〜４により取り囲むように当接した状態の説明図である。中央のブラシボディ３を中心に、ブラシボディ２、４をそれぞれ３０度程度内側に折り曲げ、把持部７、８を手で把んで操作することにより、爪Ｎの表面に沿ってブラシを均等に当接することができる。
【００１６】
この状態で、ネイルブラシ１を爪Ｎの表面に対して長手方向に沿って前後に摺動することで、表面に塗布したマニュキュア、表面の汚れや爪Ｎの生え際の凹部の汚れ等をブラシにより簡便に除去することができる。
【００１７】
図４はブラシボディ２〜４をヒンジ部５、６により屈曲させ、指先にブラシボディ２〜４のブラシを当接した状態の説明図である。図３と同様に、中央のブラシボディ３を中心に、ブラシボディ２、４をそれぞれ３０度程度内側に折り曲げることにより、爪Ｎの先端に沿ってブラシを爪Ｎの裏側と指先の間に均等に当接することが可能である。
【００１８】
この状態で、ネイルブラシ１を指先に沿って円弧状に左右に摺動することで、爪Ｎの先端と指先の間に挟まった汚れや爪Ｎの先端の汚れ等を簡便に除去できる。
【００１９】
本実施例のブラシボディ２〜４は柔軟性、弾力性を有すると共に、ブラシボディ２〜４をヒンジ部５、６により屈曲した状態とすることができ、３つのブラシボディ２〜４のブラシが異なる３方向から同時に爪Ｎに当接できる。従って、爪Ｎの汚れを取る際や爪Ｎを磨く際に、爪Ｎの曲面や爪先の円弧に沿うように摺動させることが可能であり、短時間で汚れ等を除去することができる。
【００２０】
また、利き手でない手でネイルブラシ１を把持して利き手の爪Ｎの汚れ等を落とす際にも、ブラシボディ２〜４のブラシを異なる方向に向けることができるので、操作が面倒となることはない。
【００２１】
なお実施例では、ブラシボディ２〜４を３個としたが、ブラシボディは４個以上として、ヒンジ部で連結してもよい。
【符号の説明】
【００２２】
１  ネイルブラシ
２〜４  ブラシボディ
５、６  ヒンジ部
７、８  把持部
９  ブラシ束
【図１】
0003200101.tif 000003
【図２】
0003200101.tif 000004
【図３】
0003200101.tif 000005
【図４】
0003200101.tif 000006